(57)【特許請求の範囲】
【請求項１】
撮影空間において利用者を被写体として撮影するカメラと、
前記撮影空間の距離画像を生成する距離画像センサと、
前記カメラの撮影を制御することで、前記距離画像における前記利用者の距離値に応じた撮影範囲の撮影画像を生成する撮影制御部と
を備え、
前記撮影制御部は、前記距離画像において複数の前記利用者の距離値が異なる場合、前記距離画像における前記利用者それぞれの距離値に応じた異なる撮影範囲の前記撮影画像を生成する
写真シール作成装置。
【請求項２】
前記距離画像における前記利用者の距離値に応じて、前記カメラの焦点距離を調整する調整部をさらに備え、
前記撮影制御部は、焦点距離が調整された前記カメラの撮影を制御することで、前記距離画像における前記利用者の距離値に応じた撮影範囲の前記撮影画像を生成する
請求項１に記載の写真シール作成装置。
【請求項３】
撮影タイミングになるまで、前記カメラにより取り込まれたライブビュー画像をモニタに表示する表示制御部をさらに備え、
前記調整部は、前記ライブビュー画像が表示されている間に、前記カメラの焦点距離を調整する
請求項２に記載の写真シール作成装置。
【請求項４】
撮影タイミングになるまで、前記カメラにより取り込まれたライブビュー画像をモニタに表示する表示制御部をさらに備え、
前記調整部は、前記ライブビュー画像が表示された後、撮影タイミングの直前に、前記カメラの焦点距離を調整する
請求項２に記載の写真シール作成装置。
【請求項５】
前記調整部は、前記距離画像において複数の前記利用者の距離値が異なる場合、前記カメラの焦点距離を、前記距離画像における前記利用者それぞれの距離値に対応する焦点距離の平均値とする
請求項２乃至４のいずれかに記載の写真シール作成装置。
【請求項６】
前記調整部は、前記距離画像において複数の前記利用者の距離値が異なる場合、前記カメラの焦点距離を、前記距離画像における前記利用者それぞれの距離値の平均値に対応する焦点距離とする
請求項２乃至４のいずれかに記載の写真シール作成装置。
【請求項７】
前記調整部は、前記距離画像において複数の前記利用者の距離値が異なる場合、前記カメラの焦点距離を、前記距離画像における前記利用者それぞれの距離値に対応する焦点距離のうちの最短の値とする
請求項２乃至４のいずれかに記載の写真シール作成装置。
【請求項８】
前記調整部は、前記距離画像において複数の前記利用者の距離値が異なる場合、前記カメラの焦点距離を、前記距離画像における前記利用者それぞれの距離値のうちの最短の値に対応する焦点距離とする
請求項２乃至４のいずれかに記載の写真シール作成装置。
【請求項９】
前記調整部は、前記距離画像において複数の前記利用者の距離値が異なる場合、前記カメラの焦点距離を、前記距離画像における前記利用者それぞれの距離値に対応する焦点距離に調整し、
前記撮影制御部は、前記利用者毎に調整された焦点距離で生成された前記撮影画像から、前記利用者それぞれの領域を切り出して合成する
請求項２乃至４のいずれかに記載の写真シール作成装置。
【請求項１０】
前記距離画像センサは、前記カメラと同一鉛直線上であって、前記カメラの近傍に設けられる
請求項１乃至９のいずれかに記載の写真シール作成装置。
【請求項１１】
前記カメラは、焦点距離を調整可能なズームリングを有し、
前記ズームリングは、タイミングベルトを介して回転可能とされる
請求項２乃至９のいずれかに記載の写真シール作成装置。
【請求項１２】
撮影空間において利用者を被写体として撮影するカメラと、
前記撮影空間の距離画像を生成する距離画像センサとを備える写真シール作成装置の撮影方法であって、
前記カメラの撮影を制御することで、前記距離画像における前記利用者の距離値に応じた撮影範囲の撮影画像を生成し、
前記距離画像において複数の前記利用者の距離値が異なる場合、前記距離画像における前記利用者それぞれの距離値に応じた異なる撮影範囲の前記撮影画像を生成する
ステップを含む撮影方法。
【発明の詳細な説明】
【技術分野】
【０００１】
本技術は、写真シール作成装置および撮影方法に関し、特に、高画質な画像を提供することができるようにする写真シール作成装置および撮影方法に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
通常、写真シール機においては、撮影空間内に設けられたカメラによって撮影が行われる。
【０００４】
特許文献１には、カメラから被写体までの距離に基づいてマスク画像を生成し、このマスク画像を適用した撮影画像に、合成用画像を合成する写真シール機が記載されている。
【０００５】
また近年、写真シール機においては、利用者の顔および上半身を写すアップ撮影と、利用者の全身を写す全身撮影とが行われている。
【先行技術文献】
【特許文献】
【０００６】
【特許文献１】特許第４９０７４１２号公報
【発明の概要】
【発明が解決しようとする課題】
【０００７】
一般的に、写真シール機においては、撮影により得られた原画像をトリミングし、切り出された領域を所定のサイズに拡大することで、撮影画像が生成される。ここで、トリミングにより切り出された領域が原画像に対して小さいほど、その画素数は少なくなり、その結果、撮影画像の画質が低下する。
【０００８】
また近年、写真シール機で生成された撮影画像を、利用者が所有するスマートフォンなどの携帯端末で表示することが行われている。利用者の中には、撮影画像の顔の部分を切り出して、SNS（Social Networking Service）のアイコン画像に使用する者もいる。ここで、顔の部分が撮影画像全体に対して小さいほど、その画素数は少なくなり、その結果、アイコン画像の画質が低下する。特に、撮影画像が、全身撮影により得られた全身画像である場合、アイコン画像の画素数は一層少なくなる。
【０００９】
本技術は、このような状況に鑑みてなされたものであり、より高画質な画像を提供することができるようにするものである。
【課題を解決するための手段】
【００１０】
本技術の一側面の写真シール作成装置は、撮影空間において利用者を被写体として撮影するカメラと、前記撮影空間の距離画像を生成する距離画像センサと、前記カメラの撮影を制御することで、前記距離画像における前記利用者の距離値に応じた撮影範囲の撮影画像を生成する撮影制御部とを備え、前記撮影制御部は、前記距離画像において複数の前記利用者の距離値が異なる場合、前記距離画像における前記利用者それぞれの距離値に応じた異なる撮影範囲の前記撮影画像を生成する。
【００１１】
本技術の一側面の撮影方法は、撮影空間において利用者を被写体として撮影するカメラと、前記撮影空間の距離画像を生成する距離画像センサとを備える写真シール作成装置の撮影方法であって、前記カメラの撮影を制御することで、前記距離画像における前記利用者の距離値に応じた撮影範囲の撮影画像を生成し、前記距離画像において複数の前記利用者の距離値が異なる場合、前記距離画像における前記利用者それぞれの距離値に応じた異なる撮影範囲の前記撮影画像を生成するステップを含む。
【００１２】
本技術の一側面においては、距離画像における利用者の距離値に応じた撮影範囲の撮影画像が生成され、前記距離画像において複数の前記利用者の距離値が異なる場合、前記距離画像における前記利用者それぞれの距離値に応じた異なる撮影範囲の前記撮影画像が生成される。
【発明の効果】
【００１３】
本技術によれば、より高画質な画像を提供することが可能となる。
【図面の簡単な説明】
【００１４】
【図１】本技術の写真シール作成装置の外観の構成例を示す斜視図である。
【図２】利用者の移動について説明する図である。
【図３】撮影部の構成例を示す斜視図である。
【図４】撮影部の構成例を示す正面図である。
【図５】カメラの詳細な構成例を示す図である。
【図６】背景部の構成例を示す図である。
【図７】編集ユニットの構成例を示す図である。
【図８】編集ユニットの右側面の構成例を示す図である。
【図９】シール紙の例を示す図である。
【図１０】編集画像のレイヤ構造の例を示す図である。
【図１１】写真シール作成装置の内部の構成例を示すブロック図である。
【図１２】制御部の機能構成例を示すブロック図である。
【図１３】撮影処理部の機能構成例を示すブロック図である。
【図１４】写真シール作成ゲーム処理について説明するフローチャートである。
【図１５】撮影処理について説明するフローチャートである。
【図１６】距離画像の例を示す図である。
【図１７】カメラとの距離と撮影範囲について説明する図である。
【図１８】焦点距離と撮影範囲について説明する図である。
【図１９】カメラとの距離と焦点距離との関係について説明する図である。
【図２０】カメラとの距離、焦点距離、および撮影範囲について説明する図である。
【図２１】撮影空間における利用者の立ち位置について説明する図である。
【図２２】利用者それぞれの立ち位置が異なる場合の撮影画像の例を示す図である。
【図２３】撮影部の他の構成例を示す正面図である。
【図２４】距離画像センサの配置について説明する図である。
【発明を実施するための形態】
【００１５】
＜写真シール作成装置の外観構成＞
図１は、写真シール作成装置１の外観の構成例を示す斜視図である。
【００１６】
写真シール作成装置１は、撮影画像や編集済みの画像を提供するゲーム機である。写真シール作成装置１は、画像をシール紙に印刷したり、利用者の携帯端末上で画像を閲覧可能にするためにその画像をサーバに送信したりすることで、利用者に画像を提供する。
【００１７】
写真シール作成装置１は、アミューズメント施設や店舗に設置される。写真シール作成装置１の利用者は、主に女子高校生や女子大学生などの若い女性が中心とされる。写真シール作成装置１において、１組あたり主に２人や３人などの複数人の利用者がゲームを楽しむことができる。もちろん、１人の利用者がゲームを楽しむこともできる。
【００１８】
写真シール作成装置１において、利用者は、自身が被写体となって撮影作業を行う。利用者は、編集作業を行うことによって、撮影によって得られた撮影画像に対して、背景画像、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００２０】
撮影ユニット１１は、撮影部２１と背景部２２から構成される。撮影部２１と背景部２２は離れて設置される。撮影部２１と背景部２２の間に設けられる空間が、利用者が撮影作業を行う撮影空間となる。
【００２１】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００２２】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００２３】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２４】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ｂと側面パネル５２Ｂの下部は、床面に設けられた金属製の部材である連結部（図示せず）によって連結される。
【００２５】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口も、撮影空間の出入り口となる。
【００２６】
撮影空間の上方には、撮影部２１の正面パネル４１、連結部３１Ａ、連結部３１Ｂ、および背景部２２の背面パネル５１に囲まれる開口が形成される。その開口の一部を覆うように天井照明ユニット３２が設けられる。天井照明ユニット３２の一端は連結部３１Ａに固定され、他端は連結部３１Ｂに固定される。
【００２７】
天井照明ユニット３２の内部には蛍光灯とストロボ発光管とが設けられる。天井照明ユニット３２は、撮影空間の照明として機能するとともに、撮影を行っている利用者に対してストロボ光を照射する。
【００２８】
編集ユニット１２は、撮影画像に編集を施すための装置である。編集ユニット１２は、一方の側面が撮影部２１の正面パネル４１に接するようにして、撮影ユニット１１に連結している。
【００２９】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３０】
編集ユニット１２の正面側は、床面に対して垂直な面である面１２Ａと、面１２Ａの上方に形成された斜面１２Ｂから構成される。斜面１２Ｂには、編集作業に用いられる構成として、タブレット内蔵モニタやタッチペンが設けられる。
【００３１】
斜面１２Ｂの上方右側には、照明装置７３の一端を支持する柱状の支持部７１Ａ（図６）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテン取付部７５を支持する支持部７４が設けられる。
【００３２】
編集ユニット１２の上方にはカーテン取付部７５が設けられる。カーテン取付部７５は、５本の棒状部材７５Ａ乃至７５Ｃが組み合わされて構成される。３本の棒状部材７５Ａ乃至７５Ｃは、上から見たときの形状がコの字型となるように組み合わされる。平行に設けられる棒状部材７５Ａと棒状部材７５Ｂの一端は、連結部３１Ａと連結部３１Ｂにそれぞれ固定され、棒状部材７５Ａと棒状部材７５Ｂの他端は、棒状部材７５Ｃの両端にそれぞれ接合される。
【００３３】
カーテン取付部７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３４】
後述するように、編集ユニット１２の右側面には、印刷済みのシール紙が排出される排出口が設けられる。編集ユニット１２の右側面前方の空間が、印刷が終了するのを利用者が待つ印刷待ち空間となる。
【００３５】
＜利用者の移動について＞
ここで、写真シール作成ゲームの流れと、それに伴う利用者の移動について説明する。
【００３６】
図２は、写真シール作成装置１を上から見た平面図である。
【００３７】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００３８】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００３９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００４０】
編集空間Ａ２−１または編集空間Ａ２−２に移動した利用者は、編集作業を開始する。編集空間Ａ２−１の利用者と編集空間Ａ２−２の利用者は同時に編集作業を行うことができる。
【００４１】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ。
【００４２】
印刷が終了すると、利用者は、編集ユニット１２の右側面に設けられた排出口から排出されたシール紙を受け取り、一連の写真シール作成ゲームを終える。
【００４３】
次に、各部の構成について説明する。
【００４４】
＜撮影部の構成＞
図３は、撮影部２１の構成例を示す斜視図であり、図４は、撮影部２１の構成例を示す正面図である。
【００４５】
撮影部２１の外枠は、複数のキャスターが取り付けられたベース部４３に、正面パネル４１、側面パネル４２Ａ、および側面パネル４２Ｂが立設して構成される。
【００４６】
正面パネル４１の略中央には、略箱形状の撮影・表示ユニット１０１が設けられる。撮影・表示ユニット１０１の正面側には、上から順に、前下がりの斜面１０１Ａ、垂直に対して僅かに前傾した斜面１０１Ｂ、および、斜面１０１Ａより急な斜面１０１Ｃが形成される。
【００４７】
斜面１０１Ｂの略中央には円形の開口部が形成され、開口部には、撮影空間Ａ１にいる利用者を撮影するカメラ１１１のレンズが設けられる。撮影・表示ユニット１０１の内部には、例えば一眼レフカメラであるカメラ１１１が取り付けられている。
【００４８】
斜面１０１Ｃにはタッチパネルモニタ１１２が設けられる。タッチパネルモニタ１１２は、LCD(Liquid Crystal Display)などのモニタと、それに積層されたタッチパネルにより構成される。
【００４９】
タッチパネルモニタ１１２は、カメラ１１１により取り込まれた動画像（以下、ライブビュー画像ともいう）を表示するライブビューモニタとしての機能と、各種のGUI(Graphical User Interface)を表示して利用者の操作を受け付ける機能とを備える。タッチパネルモニタ１１２には、カメラ１１１により取り込まれたライブビュー画像や撮影画像が表示される。撮影画像は、所定のタイミングでカメラ１１１により取り込まれた静止画像である。
【００５０】
後述するように、利用者は、顔を中心として自身の略胸から上の範囲が大きく写る画像であるアップ画像、自身の全身が写る画像である全身画像、および自身の膝から上の範囲が写る膝上画像を撮影することができる。
【００５１】
また、斜面１０１Ｃにおけるタッチパネルモニタ１１２の上方には、距離画像センサ１１３が設けられる。
【００５２】
距離画像センサ１１３は、撮影空間Ａ１の距離画像を生成する。具体的には、距離画像センサ１１３は、TOF（Time of Flight）方式により、照射光と反射光との位相差を用いて、撮影空間Ａ１内の対象物までの距離を示す距離値を、距離画像の各画素の画素値として算出する。なお、距離画像センサ１１３は、TOF方式に限らず、ストラクチャ光照明方式やInfraredDepth方式、ステレオカメラ方式などの公知の方式より、距離画像を生成するようにしてもよい。
【００５３】
距離画像センサ１１３は、カメラ１１１と同一鉛直線上であって、カメラ１１１の近傍となる位置、具体的には、カメラ１１１の鉛直方向真下に設けられ、その撮影範囲は、カメラ１１１と略同一かそれ以上とされる。このような配置により、カメラ１１１の光学系の妨げになることなく、被写体とカメラ１１１との距離を正確に表す距離画像が生成されるようになる。また、距離画像の画素数は、カメラ１１１に取り込まれるライブビュー画像や撮影画像の原画像と略同一の画素数とされる。なお、距離画像の画素数は、カメラ１１１に取り込まれた原画像がトリミングされたライブビュー画像や撮影画像と略同一の画素数であってもよい。
【００５４】
正面パネル４１には、撮影・表示ユニット１０１を挟んで対称に発光部１０２Ｌと発光部１０２Ｒが形成される。発光部１０２Ｌと発光部１０２Ｒは、例えば正面パネル４１に形成された細幅の溝に、透光性を有するカバーが嵌め込まれることによって構成される。正面パネル４１に形成された細幅の溝にはLED（Light Emitting Diode）などの発光体が設けられる。
【００５５】
図４に示すように、撮影・表示ユニット１０１の左側の発光部１０２Ｌは、細幅の直線状部１０２Ｌ−１乃至１０２Ｌ−３から構成される。直線状部１０２Ｌ−２は、その長さを撮影・表示ユニット１０１の縦方向の長さと略同じ長さにするように垂直方向に形成される。直線状部１０２Ｌ−１は、直線状部１０２Ｌ−２の上端から右斜め上方に向けて形成され、直線状部１０２Ｌ−３は、直線状部１０２Ｌ−１の下端から右斜め下方に向けて形成される。
【００５６】
一方、撮影・表示ユニット１０１の右側の発光部１０２Ｒは、細幅の直線状部１０２Ｒ−１乃至１０２Ｒ−３から構成される。直線状部１０２Ｒ−２は、その長さを撮影・表示ユニット１０１の縦方向の長さと略同じ長さにするように垂直方向に形成される。直線状部１０２Ｒ−１は、直線状部１０２Ｒ−２の上端から左斜め上方に向けて形成され、直線状部１０２Ｒ−３は、直線状部１０２Ｒ−２の下端から左斜め下方に向けて形成される。
【００５７】
図４に示されるように、発光部１０２Ｌと発光部１０２Ｒを合わせた形状は略六角形になる。発光部１０２Ｌと発光部１０２Ｒが発光することにより、撮影空間Ａ１をシャープな印象に演出することができる。
【００５８】
撮影・表示ユニット１０１の上方には、曲面のカバーを利用者に向けた上ストロボユニット１０３が設置される。上ストロボユニット１０３は、所定の取り付け部材を用いて、正面パネル４１などに固定される。上ストロボユニット１０３は内部に蛍光灯およびストロボ発光管を有し、正面上方から、利用者の顔付近にストロボ光を照射する。
【００５９】
撮影・表示ユニット１０１の下方には、カメラ１１１による撮影に合わせて利用者の下半身にストロボ光を照射する足元ストロボユニット１０４が設けられる。足元ストロボユニット１０４の正面は垂直面を形成する板状部材１２１により構成され、上面は緩やかな斜面を形成する板状部材１２２により構成される。板状部材１２１と板状部材１２２は、乳白色のアクリル板などの透光性を有する板状部材である。足元ストロボユニット１０４もまた、内部に蛍光灯およびストロボ発光管を有する。
【００６０】
足元ストロボユニット１０４の板状部材１２１の左右には、垂直面を構成する板状部材１２３Ｌと板状部材１２３Ｒがそれぞれ設けられる。板状部材１２３Ｒには、利用者が硬貨を投入する硬貨投入口が設けられる。
【００６１】
足元ストロボユニット１０４の板状部材１２２の左右には、板状部材１２２と同様の緩やかな斜面を形成する板状部材１２４Ｌと板状部材１２４Ｒがそれぞれ設けられる。板状部材１２４Ｌと板状部材１２４Ｒにより形成される斜面は、利用者が手荷物を置くためなどに用いられる。
【００６２】
図示はしないが、正面パネル４１の例えば天井付近にはスピーカが設けられる。そのスピーカは、撮影作業に関する案内音声、BGM（Background Music）、効果音などを出力する。
【００６３】
＜カメラの構成例＞
ここで、図５を参照して、カメラ１１１の詳細な構成例について説明する。
【００６４】
カメラ１１１は、撮像装置であるカメラ本体１１１Ｍがケース１１１Ｃに搭載されて構成される。カメラ１１１には、所定の駆動機構により、カメラ本体１１１Ｍのレンズの光軸に平行な軸を中心に回転する回転部１１１Ｒが設けられている。また、カメラ本体１１１Ｍの焦点距離を調整するズームリング１１１Ｆの円周面に設けられたギアと、回転部１１１Ｒの一端に設けられたギア（図示せず）とは、内側にリブが設けられたタイミングベルト１１１Ｂにより連結されている。
【００６５】
すなわち、回転部１１１Ｒが回転することにより、タイミングベルト１１１Ｂを介してズームリング１１１Ｆが回転し、カメラ本体１１１Ｍのレンズの焦点距離が調整されるようになされている。これにより、後述するように、距離画像における利用者の距離値に応じて、焦点距離を調整することができる。
【００６６】
＜背景部の構成＞
図６は、背景部２２の撮影空間Ａ１側の構成例を示す図である。
【００６７】
背面パネル５１の上方中央には背面上ストロボ１３１が設けられる。また、背面パネル５１の上方右側（図中、左側）には背面右ストロボ１３２が設けられ、背面パネル５１の上方左側（図中、右側）には背面左ストロボ１３３が設けられる。
【００６８】
背面上ストロボ１３１は、後方上側から利用者にストロボ光を照射する。背面右ストロボ１３２は、後方右側から利用者にストロボ光を照射する。背面左ストロボ１３３は、後方左側から利用者にストロボ光を照射する。
【００６９】
背面パネル５１の撮影空間Ａ１側（図中、手前側）の面の色は白色とされる。また、図示はしないが、側面パネル５２Ａ，５２Ｂそれぞれの撮影空間Ａ１側の面の色も白色とされる。
【００７０】
また、背面パネル５１の撮影空間Ａ１側には、図示せぬカーテンユニットにより、クロマキ用のカーテンが、必要に応じて下ろされる。これにより、撮影画像に対してクロマキ処理を施し、利用者が所望する背景画像を、撮影画像の背景部分に合成することができる。なお、クロマキ用のカーテンの色は、緑色であるものとするが、クロマキ処理を行うことができる色であればよく、青色などの他の色であってもよい。
【００７１】
＜編集ユニットの構成＞
図７は、編集ユニット１２の正面側（編集空間Ａ２−１側）の構成例を示す図である。
【００７２】
斜面１２Ｂのほぼ中央には、タブレット内蔵モニタ１４１が設けられる。タブレット内蔵モニタ１４１の左右にはタッチペン１４２Ａとタッチペン１４２Ｂが設けられる。
【００７３】
タブレット内蔵モニタ１４１は、タッチペン１４２Ａ，１４２Ｂを用いた操作入力を受け付ける。タブレット内蔵モニタ１４１には、編集作業に用いられる編集画面などが表示される。例えば、タッチペン１４２Ａはタブレット内蔵モニタ１４１に向かって左側に立つ利用者により用いられ、タッチペン１４２Ｂはタブレット内蔵モニタ１４１に向かって右側に立つ利用者により用いられる。以下、適宜、タッチペン１４２Ａとタッチペン１４２Ｂを区別する必要がない場合、タッチペン１４２という。
【００７４】
図８は、編集ユニット１２の右側面の構成例を示す図である。
【００７５】
編集ユニット１２の右側面の下部にはシール紙排出口１５１が設けられる。編集ユニット１２の内部にはプリンタが設けられる。そのプリンタにより、編集空間Ａ２−１の利用者が編集を行った画像、または、編集空間Ａ２−２の利用者が編集を行った画像が所定のレイアウトでシール紙に印刷され、シール紙排出口１５１から排出される。
【００７６】
＜シール紙の例＞
図９は、以上のような外観構成を有する写真シール作成装置１により作成されるシール紙の例を示す図である。
【００７７】
図９に示す横長のシール紙には、５枚の編集画像である編集画像１６１−１乃至１６１−５が横に並んで印刷されている。
【００７８】
編集画像１６１−１乃至１６１−５のうち、編集画像１６１−１乃至１６１−３は、アップ画像に対して編集が施されることによって生成された画像であり、編集画像１６１−４は、全身画像に対して編集が施されることによって生成された画像である。また、編集画像１６１−５は、膝上画像に対して編集が施されることによって生成された画像である。
【００７９】
アップ画像と、全身画像および膝上画像とは縦横比が異なる。例えば、アップ画像の横方向の長さと縦方向の長さの比は１：１．２であり、全身画像および膝上画像の横方向の長さと縦方向の長さの比は３：４である。図９の例においては、アップ画像、全身画像、および膝上画像が、横方向の長さを同じ長さとして印刷されている。なお、実際には、利用者の背景には、所定の色や柄の画像である背景画像が、前景には、手書きの文字やスタンプ画像などが、それぞれ合成用画像として合成される。
【００８０】
シール紙の縁の余白には、機種名（LOVERY）と撮影日の他に、メールアドレス、IDなどが印刷される。余白領域に印刷されたメールアドレスとIDは、写真シール作成装置１からサーバに送信された画像を携帯電話機などの携帯端末で閲覧するときに利用される。
【００８１】
図１０は、編集画像のレイヤ構造の例を示す図である。
【００８２】
左端の編集画像Ｐ１が編集によって生成される画像である。編集画像Ｐ１は、背景画像Ｐ１１、撮影画像Ｐ１２、前景画像Ｐ１３の各レイヤの画像から構成される。
【００８３】
図１０の例において、背景画像Ｐ１１は、レンガを重ねた壁面の柄の画像である。前景画像Ｐ１３は、「Love my friend」の手書き文字の画像とハート型の画像を含む画像である。「Love my friend」の手書き文字の画像は、撮影画像Ｐ１２の中央下方の位置にペンツールを用いて利用者によって入力されたペン画像である。また、ハート型の画像は、撮影画像Ｐ１２の左上の位置にスタンプツールを用いて利用者によって入力されたスタンプ画像である。
【００８４】
このように、編集画像Ｐ１は、クロマキ処理によって抽出した撮影画像Ｐ１２の被写体の領域を背景画像Ｐ１１に重ね、その上に前景画像Ｐ１３を重ねることによって生成される。ペン画像やスタンプ画像を背景画像Ｐ１１上に入力し、被写体の背景に表示させるようにすることも可能とされる。
【００８５】
＜写真シール作成装置の内部構成＞
図１１は、写真シール作成装置１の内部の構成例を示すブロック図である。上述した構成と同じ構成には同じ符号を付してある。重複する説明については適宜省略する。
【００８６】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８の各構成、編集部２０９Ａ，２０９Ｂの各構成、およびプリンタ２４１も接続される。
【００８７】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００８８】
通信部２０３は、インターネットなどのネットワークのインタフェースである。通信部２０３は、制御部２０１による制御に従って外部の装置と通信を行う。通信部２０３は、例えば、利用者により選択された撮影画像をサーバに送信する。通信部２０３から送信された画像は、サーバにおいて所定の記憶領域が割り当てられて保存され、サーバにアクセスしてきた携帯端末に表示されたり、ダウンロードされたりする。
【００８９】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００９０】
ROM２０６は、制御部２０１において実行されるプログラムやデータを記憶する。RAM２０７は、制御部２０１が処理するデータやプログラムを一時的に記憶する。
【００９１】
撮影部２０８は、撮影空間Ａ１にいる利用者を対象とした撮影処理を実現する。撮影部２０８は、硬貨処理部２２１、照明装置２２２、カメラ１１１、タッチパネルモニタ１１２、およびスピーカ２２３から構成される。
【００９２】
硬貨処理部２２１は、硬貨投入口への硬貨の投入を検出する。硬貨処理部２２１は、例えば４００円などの所定の金額分の硬貨が投入されたことを検出した場合、ゲームの開始を指示する起動信号を制御部２０１に出力する。
【００９３】
照明装置２２２は、上ストロボユニット１０３、足元ストロボユニット１０４などの、撮影空間Ａ１内に設けられる各照明装置である。照明装置２２２のそれぞれは、制御部２０１から供給される照明制御信号に従って発光する。
【００９４】
カメラ１１１は、制御部２０１によるシャッタ制御に従って撮影を行い、撮影によって得られた撮影画像のデータを制御部２０１に出力する。
【００９５】
編集部２０９Ａは、編集空間Ａ２−１にいる利用者を対象とした編集処理を実現する。編集部２０９Ａは、タブレット内蔵モニタ１４１、タッチペン１４２Ａ，１４２Ｂ、およびスピーカ２３１から構成される。編集部２０９Ｂは、編集部２０９Ａと同一の構成を有し、編集空間Ａ２−２にいる利用者を対象とした編集処理を実現する。
【００９６】
タブレット内蔵モニタ１４１は、制御部２０１による制御に従って各種の画面を表示し、表示した画面に対する利用者の操作を受け付ける。利用者の操作の内容を表す入力信号は制御部２０１に供給される。
【００９７】
プリンタ２４１は、制御部２０１から供給された印刷データに基づいて、シール紙ユニット２４２に収納されているシール紙に編集画像を印刷する。プリンタ２４１は、編集画像を所定のレイアウトで印刷したシール紙をシール紙排出口１５１に排出する。
【００９８】
＜制御部の構成＞
図１２は、制御部２０１の機能構成例を示すブロック図である。図１２に示す機能部のうちの少なくとも一部は、制御部２０１内のCPUにより所定のプログラムが実行されることによって実現される。
【００９９】
制御部２０１は、撮影処理部３０１、編集処理部３０２、および印刷処理部３０３から構成される。
【０１００】
撮影処理部３０１は、撮影部２０８の各部を制御して撮影処理を行う。編集処理部３０２は、編集部２０９Ａ，２０９Ｂの各部を制御して編集処理を行う。印刷処理部３０３は、プリンタ２４１を制御して編集画像をシール紙に印刷する。
【０１０１】
図１３は、撮影処理部３０１の構成例を示すブロック図である。
【０１０２】
撮影処理部３０１は、表示制御部３１１、焦点距離調整部３１２、および撮影制御部３１３から構成される。
【０１０３】
表示制御部３１１は、タッチパネルモニタ１１２の表示を制御する。例えば、表示制御部３１１は、カメラ１１１に取り込まれたライブビュー画像や、撮影結果としての撮影画像をタッチパネルモニタ１１２に表示させる。
【０１０４】
焦点距離調整部３１２は、距離画像センサ１１３によって生成された距離画像に基づいて、カメラ１１１の焦点距離を調整する。具体的には、焦点距離調整部３１２は、距離画像における利用者の距離値に応じて、カメラ１１１の焦点距離を調整する。
【０１０５】
撮影制御部３１３は、カメラ１１１の撮影を制御することで、撮影画像を生成する。この撮影画像は、撮影のタイミングにカメラ１１１に取り込まれた原画像（静止画像）が、所定のサイズになるようトリミングされた画像である。
【０１０６】
＜写真シール作成装置の動作＞
ここで、図１４のフローチャートを参照して、写真シール作成ゲームを提供する写真シール作成装置１の動作について説明する。図１４の処理は、所定の金額分の硬貨が硬貨投入口に投入されたときに開始される。
【０１０７】
ステップＳ１において、撮影処理部３０１は、撮影部２０８を制御して撮影処理を行う。
【０１０８】
撮影処理において、撮影処理部３０１は、人数や撮影コースの選択画面をタッチパネルモニタ１１２に表示させ、それらの選択を行わせる。例えば、撮影コースに応じて、異なる写りの撮影画像が生成される。
【０１０９】
被写体の写りは、撮影画像に施す画像処理の種類などによって変わる。例えば、被写体の写りは、撮影画像における人物領域の彩度、明度、シャープネス、コントラストなどの少なくともいずれかを調整することで決定される。撮影画像に対しては、彩度、明度、シャープネス、コントラストなどの各種のパラメータを調整する画像処理が施される。被写体の写りを、撮影空間Ａ１内の各ストロボの発光量や発光タイミングなどを制御することで変えるようにしてもよい。
【０１１０】
人数や撮影コースが選択されたとき、撮影処理部３０１は、カメラ１１１を制御して動画像の取り込みを開始する。撮影処理部３０１は、取り込まれた動画像をライブビュー画像としてタッチパネルモニタ１１２に表示させる。利用者は、ライブビュー画像を見ることで自分たちの写り方を確認することができる。
【０１１１】
ライブビュー画像が所定の時間表示された後、撮影前のカウントダウンが開始される。撮影のタイミングになったとき、撮影処理部３０１は１回目の撮影を行う。その後、撮影処理部３０１は、所定の回数分の撮影を繰り返し行う。
【０１１２】
例えば５回の撮影のうち１回目から３回目までの撮影がアップ画像の撮影であり、４回目と５回目の撮影が全身画像の撮影である場合、撮影処理部３０１は、それぞれの撮影画像の種類に応じて、カメラ１１１の画角（レンズの焦点距離）を調整する等の処理を行う。
【０１１３】
全身画像として、正面から見た利用者の全身が写る画像と、斜め上から見た利用者の全身が写る画像とが生成されるようにしてもよい。
【０１１４】
５回などの所定の回数の撮影が行われた後、撮影処理部３０１は、撮影を終えた利用者に対して、編集空間Ａ２−１または編集空間Ａ２−２への移動を案内する。編集空間への移動の案内は、タッチパネルモニタ１１２に案内画面を表示させることによって、または音声をスピーカ２２３から出力させることによって行われる。
【０１１５】
図１４のステップＳ２において、編集処理部３０２は編集処理を行い、編集画像を生成する。編集処理においては、編集画面がタブレット内蔵モニタ１４１に表示され、撮影画像の編集が行われる。編集画面が表示されるタブレット内蔵モニタ１４１は、撮影処理を終えた利用者の移動先とした方の編集空間に設けられているモニタである。
【０１１６】
編集画面を用いた撮影画像の編集は、予め設定された制限時間が経過するか、編集画面に表示された終了ボタンが操作されたときに終了される。撮影画像の編集が終了したとき、レイアウトの選択、携帯専用画像の選択などが行われ、その後、印刷待ち空間Ａ３への移動が案内される。
【０１１７】
ステップＳ３において、印刷処理部３０３は、プリンタ２４１を制御し、編集処理によって得られた編集画像をシール紙に印刷する。なお、撮影処理により得られた撮影画像に対して編集が施されていない場合、撮影画像がそのままシール紙に印刷される。
【０１１８】
ステップＳ４において、プリンタ２４１は、編集画像が印刷されたシール紙をシール紙排出口１５１に排出し、処理を終了させる。
【０１１９】
＜撮影処理＞
次に、図１５のフローチャートを参照して、図１４のステップＳ１において行われる撮影処理について説明する。なお、図１５の処理は、例えば５回の撮影それぞれについて実行される。
【０１２０】
ステップＳ１１において、表示制御部３１１は、カメラ１１１に取り込まれた動画像をライブビュー画像としてタッチパネルモニタ１１２に表示する。ライブビュー画像が所定の時間表示された後、撮影前のカウントダウンが開始される。
【０１２１】
ライブビュー画像が表示されると、ステップＳ１２において、焦点距離調整部３１２は、距離画像センサ１１３によって生成された距離画像を取得する。なお、距離画像は、ライブビュー画像が表示される前に取得されるようにしてもよい。
【０１２２】
図１６は、距離画像の例を示している。
【０１２３】
図１６左側には、距離画像と同じ撮影範囲の画像３５０が示されている。画像３５０においては、撮影空間内で２人の利用者が、それぞれピースサインをした左手を自身の前方に差し出した状態で写っている。この場合、２人の利用者の身体のうち、それぞれの左手が、距離画像センサ１１３（カメラ１１１）に最も近い部分となる。
【０１２４】
図１６右側には、画像３５０に対応する距離画像３６０が示されている。距離画像３６０においては、黒色の濃い領域ほど距離値が小さく、対応する対象物が近距離にあることが示されている。具体的には、距離画像センサ１１３（カメラ１１１）に最も近い、２人の利用者それぞれの左手に対応する領域が、最も黒色の濃い（最も距離値が小さい）領域となっている。
【０１２５】
図１５のフローチャートに戻り、ステップＳ１３において、焦点距離調整部３１２は、取得した距離画像における利用者の距離値に応じて、カメラ１１１の焦点距離を調整する。
【０１２６】
図１７は、被写体とカメラ１１１との距離と撮影範囲について説明する図である。
【０１２７】
図１７左側には、被写体となる利用者Ａ，Ｂとカメラ１１１との距離が近い状態で得られた原画像３７１が示されている。図１７右側には、被写体となる利用者Ａ，Ｂとカメラ１１１との距離が遠い状態で得られた原画像３７２が示されている。
【０１２８】
なお、以下においては、利用者Ａ，Ｂは、それぞれ同一の身長で、利用者Ａ，Ｂそれぞれとカメラ１１１との距離も同一であるものとする。
【０１２９】
図１７に示されるように、利用者Ａ，Ｂとカメラ１１１との距離が近い状態では、原画像３７１には被写体（利用者Ａ，Ｂ）が大きく写る。一方、利用者Ａ，Ｂとカメラ１１１との距離が遠い状態では、原画像３７２には被写体（利用者Ａ，Ｂ）が小さく写る。
【０１３０】
図１８は、カメラ１１１の焦点距離と撮影範囲について説明する図である。
【０１３１】
図１８左側には、カメラ１１１の焦点距離を短くした状態で得られた原画像３８１が示されている。図１８右側には、カメラ１１１の焦点距離を長くした状態で得られた原画像３８２が示されている。
【０１３２】
図１８に示されるように、カメラ１１１の焦点距離を短くした状態では、画角が広くなるので、原画像３８１には被写体（利用者Ａ，Ｂ）が小さく写る。一方、カメラ１１１の焦点距離を長くした状態では、画角が狭くなるので、原画像３８２には被写体（利用者Ａ，Ｂ）が大きく写る。
【０１３３】
一般的に、写真シール機においては、撮影により得られた原画像をトリミングし、切り出された領域を所定のサイズに拡大することで、撮影画像が生成される。ここで、トリミングにより切り出された領域が原画像に対して小さいほど、その画素数は少なくなり、その結果、撮影画像の画質が低下する。
【０１３４】
図１７を参照して説明したように、利用者がカメラから遠いほど、原画像において被写体である利用者は小さく写る。したがって、利用者がカメラから遠いほど、切り出される利用者の領域の画素数は少なくなり、撮影画像の画質が低下してしまう。
【０１３５】
そこで、ステップＳ１３において、焦点距離調整部３１２は、距離画像における利用者の距離値が大きいほど、カメラ１１１の焦点距離を長くするように調整する。すなわち、利用者がカメラから遠いほど、図１８を参照して説明したように、被写体（利用者）が大きく写るようになされる。
【０１３６】
図１９は、撮影空間Ａ１を上から見た平面図であり、カメラ１１１との距離と、カメラ１１１の焦点距離との関係を説明する図である。
【０１３７】
図１９に示されるように、利用者Ａ，Ｂそれぞれとカメラ１１１との距離は同一である。
【０１３８】
上述したように、図１９に示される状態から、利用者Ａ，Ｂがカメラ１１１から遠ざかるほど、カメラ１１１の焦点距離は長くなるように調整される。また、利用者Ａ，Ｂがカメラ１１１に近づくほど、カメラ１１１の焦点距離は短くなるように調整される。
【０１３９】
例えば、図１９に示される状態でアップ撮影が行われる場合、アップ撮影における利用者の立ち位置は、カメラ１１１から800mm乃至1000mm離れた範囲が最適とされ、アップ画像の完成度が最も高まるものとする。なお、アップ撮影において、最適な利用者の立ち位置の範囲は、撮影空間Ａ１の大きさやカメラ１１１の機能など、写真シール作成装置１の機種によって異なる。
【０１４０】
ここで、撮影空間Ａ１において、利用者Ａ，Ｂの立ち位置が前より（カメラ１１１からの距離が800mm）である場合、カメラ１１１の焦点距離は24mmに調整される。
【０１４１】
また、撮影空間Ａ１において、利用者Ａ，Ｂの立ち位置が中ほど（カメラ１１１からの距離が900mm）である場合、カメラ１１１の焦点距離は25mmに調整される。
【０１４２】
さらに、撮影空間Ａ１において、利用者Ａ，Ｂの立ち位置が後ろより（カメラ１１１からの距離が1000mm）である場合、カメラ１１１の焦点距離は26mmに調整される。
【０１４３】
また、図１９に示される状態で全身撮影が行われる場合、全身撮影における利用者の立ち位置は、カメラ１１１から1000mm乃至1200mm離れた範囲が最適とされ、全身画像の完成度が最も高まるものとする。なお、全身撮影においても、最適な利用者の立ち位置の範囲は、撮影空間Ａ１の大きさやカメラ１１１の機能など、写真シール作成装置１の機種によって異なる。
【０１４４】
ここで、撮影空間Ａ１において、利用者Ａ，Ｂの立ち位置が前より（カメラ１１１からの距離が1000mm）である場合、カメラ１１１の焦点距離は10mmに調整される。
【０１４５】
また、撮影空間Ａ１において、利用者Ａ，Ｂの立ち位置が中ほど（カメラ１１１からの距離が1100mm）である場合、カメラ１１１の焦点距離は11mmに調整される。
【０１４６】
さらに、撮影空間Ａ１において、利用者Ａ，Ｂの立ち位置が後ろより（カメラ１１１からの距離が1200mm）である場合、カメラ１１１の焦点距離は12mmに調整される。
【０１４７】
このように、利用者Ａ，Ｂがカメラ１１１から遠いほど、カメラ１１１の焦点距離が長く、利用者Ａ，Ｂがカメラ１１１に近いほど、カメラ１１１の焦点距離が短くなるように調整される。
【０１４８】
図２０は、被写体とカメラ１１１との距離、カメラ１１１の焦点距離、および撮影範囲について説明する図である。
【０１４９】
図２０左側には、被写体となる利用者Ａ，Ｂとカメラ１１１との距離が近い状態で得られた原画像４１１が示されている。図２０右側には、被写体となる利用者Ａ，Ｂとカメラ１１１との距離が遠い状態で得られた原画像４１２が示されている。
【０１５０】
上述したように、利用者Ａ，Ｂとカメラ１１１との距離が近い状態では、カメラ１１１の焦点距離が短く調整されるので、原画像４１１に写る被写体（利用者Ａ，Ｂ）は、図１７の原画像３７１ほど大きく写らない。また、利用者Ａ，Ｂとカメラ１１１との距離が遠い状態では、カメラ１１１の焦点距離が長く調整されるので、原画像４１２に写る被写体（利用者Ａ，Ｂ）は、図１７の原画像３７２ほど小さく写らない。
【０１５１】
このように、原画像に写る利用者の大きさを、利用者の立ち位置によらず、ある程度一定の大きさとすることができる。
【０１５２】
さて、図１５のフローチャートに戻り、利用者の距離値に応じてカメラ１１１の焦点距離が調整されると、処理はステップＳ１４に進む。
【０１５３】
ステップＳ１４において、撮影制御部３１３は、撮影前のカウントダウンが終了し、撮影のタイミングになったか否かを判定する。
【０１５４】
ステップＳ１４において、まだ撮影前のカウントダウンが終了せず、撮影のタイミングになっていないと判定された場合、処理はステップＳ１１に戻り、ステップＳ１１乃至Ｓ１３の処理が繰り返される。
【０１５５】
一方、ステップＳ１４において、撮影前のカウントダウンが終了し、撮影のタイミングになったと判定された場合、処理はステップＳ１５に進む。
【０１５６】
ステップＳ１５において、撮影制御部３１３は、焦点距離が調整されたカメラ１１１を制御し、カメラ１１１に取り込まれた原画像（静止画像）を、所定のサイズになるようトリミングすることで撮影画像を生成する。
【０１５７】
以上の処理によれば、利用者がカメラ１１１から遠いほど、カメラ１１１の焦点距離が長くなるよう調整されるので、原画像に写る被写体（利用者）が小さくなりすぎることはない。したがって、利用者がカメラから遠い場合であっても、切り出される利用者の領域が原画像に対して小さくなり、その画素数が少なくなることを避けることができ、結果として、より高画質な画像を提供することが可能となる。
【０１５８】
なお、図１５のフローチャートにおいては、ライブビュー画像が表示されている間に、リアルタイムにカメラ１１１の焦点距離が調整されるものとした（ステップＳ１３）。これに限らず、ステップＳ１３の処理をステップＳ１５の直前に行われるようにし、ライブビュー画像が表示された後、撮影のタイミングの直前に、例えば１回のみ、カメラ１１１の焦点距離が調整されるようにしてもよい。
【０１５９】
＜利用者それぞれとカメラとの距離が異なる場合＞
上述した例では、撮影空間Ａ１において、利用者Ａ，Ｂそれぞれとカメラ１１１との距離は同一であるものとした。以下においては、図２１に示されるように、利用者Ａとカメラ１１１との距離、利用者Ｂとカメラ１１１との距離が異なる場合の例について説明する。
【０１６０】
図２１においては、利用者Ａとカメラ１１１との距離が、利用者Ｂとカメラ１１１との距離より短い、すなわち、利用者Ａが、利用者Ｂより近い位置に立っている。
【０１６１】
ここで、以下の例においては、図２１に示される状態でアップ撮影が行われ、撮影空間Ａ１において、利用者Ａの立ち位置が前より（カメラ１１１からの距離が800mm）で、利用者Ｂの立ち位置が後ろより（カメラ１１１からの距離が1000mm）であるものとする。
【０１６２】
（第１の例）
第１の例においては、焦点距離調整部３１２は、カメラ１１１の焦点距離を、距離画像における利用者Ａ，Ｂそれぞれの距離値に対応する焦点距離の平均値とする。
【０１６３】
具体的には、利用者Ａのカメラ１１１からの距離は800mmであるので、距離画像における利用者Ａの距離値に対応する焦点距離は24mmとなる。また、利用者Ｂのカメラ１１１からの距離は1000mmであるので、距離画像における利用者Ｂの距離値に対応する焦点距離は26mmとなる。
【０１６４】
すなわち、この例では、カメラ１１１の焦点距離は、24mmと26mmの平均値である25mmに調整される。
【０１６５】
これにより、利用者それぞれとカメラとの距離が異なる場合であっても、原画像に写る被写体（利用者）が小さくなりすぎたり、大きくなりすぎたりすることを避けることができる。
【０１６６】
なお、本例において、焦点距離調整部３１２が、カメラ１１１の焦点距離を、距離画像における利用者Ａ，Ｂそれぞれの距離値の平均値に対応する焦点距離とするようにしてもよい。
【０１６７】
（第２の例）
第２の例においては、焦点距離調整部３１２は、カメラ１１１の焦点距離を、距離画像における利用者Ａ，Ｂそれぞれの距離値に対応する焦点距離のうちの最短の値とする。
【０１６８】
具体的には、利用者Ａのカメラ１１１からの距離は800mmであるので、距離画像における利用者Ａの距離値に対応する焦点距離は24mmとなる。また、利用者Ｂのカメラ１１１からの距離は1000mmであるので、距離画像における利用者Ｂの距離値に対応する焦点距離は26mmとなる。
【０１６９】
すなわち、この例では、カメラ１１１の焦点距離は、24mmと26mmのうちの最短の値である24mmに調整される。
【０１７０】
これにより、利用者それぞれとカメラとの距離が異なる場合であっても、カメラに近い位置に立つ被写体（利用者）に合わせた撮影範囲の原画像が得られるので、カメラに近い位置に立つ利用者が見切れたり、トリミングによりカメラに近い位置に立つ利用者の一部が切り取られることを避けることができる。
【０１７１】
なお、本例において、焦点距離調整部３１２が、カメラ１１１の焦点距離を、距離画像における利用者Ａ，Ｂそれぞれの距離値のうちの最短の値に対応する焦点距離とするようにしてもよい。
【０１７２】
（第３の例）
第３の例においては、焦点距離調整部３１２は、カメラ１１１の焦点距離を、距離画像における利用者Ａ，Ｂそれぞれの距離値に対応する焦点距離に調整する。撮影制御部３１３は、利用者毎に調整された焦点距離のカメラ１１１を制御し、カメラ１１１に取り込まれた原画像（静止画像）を取得する。そして、撮影制御部３１３は、取得した原画像それぞれから、対応する焦点距離で撮影された利用者それぞれの領域を切り出して合成することで、１枚の撮影画像を生成する。
【０１７３】
具体的には、利用者Ａのカメラ１１１からの距離は800mmであるので、距離画像における利用者Ａの距離値に対応する焦点距離は24mmとなる。また、利用者Ｂのカメラ１１１からの距離は1000mmであるので、距離画像における利用者Ｂの距離値に対応する焦点距離は26mmとなる。
【０１７４】
この例では、それぞれの焦点距離での撮影、すなわち２回の撮影が行われる。
【０１７５】
まず、焦点距離が、利用者Ａに対応する焦点距離24mmに調整されたカメラ１１１で撮影が行われることで、図２２左上に示されるような原画像４２１が得られる。
【０１７６】
次に、焦点距離が、利用者Ｂに対応する焦点距離26mmに調整されたカメラ１１１で撮影が行われることで、図２２左下に示されるような原画像４２２が得られる。
【０１７７】
原画像４２２においては、原画像４２１と比較して、利用者Ａ，Ｂそれぞれが大きく写っている。
【０１７８】
原画像４２１においては、対応する焦点距離で撮影された利用者Ａの領域Ｆ１が切り出される。すなわち、原画像４２１からは、利用者Ａ，Ｂのうち、より大きく写る利用者Ａの領域Ｆ１が切り出される。これにより、図２２中央上に示されるようなトリミング画像４２１ｆが得られる。
【０１７９】
原画像４２２においては、対応する焦点距離で撮影された利用者Ｂの領域Ｆ２が切り出される。すなわち、原画像４２２からは、利用者Ａ，Ｂのうち、より小さく写る利用者Ｂの領域Ｆ２が切り出される。これにより、図２２中央下に示されるようなトリミング画像４２２ｆが得られる。
【０１８０】
そして、トリミング画像４２１ｆとトリミング画像４２２ｆとが合成されることで、図２２右に示される撮影画像４２３が得られる。
【０１８１】
撮影画像４２３は、利用者Ａ，Ｂが小さく写る原画像４２１から切り出された、大きく写る利用者Ａと、利用者Ａ，Ｂが大きく写る原画像４２２から切り出された、小さく写る利用者Ｂとが写る画像となる。
【０１８２】
これにより、利用者それぞれとカメラとの距離が異なる場合であっても、あたかも、利用者それぞれとカメラとの距離が同一であるような、利用者それぞれがバランス良く写る撮影画像を提供することができる。
【０１８３】
また例えば、利用者のいずれかが、極端に撮影範囲の端に立って写った場合であっても、利用者の領域が確実に切り出されるので、最終的に得られる撮影画像は、利用者が端に寄りすぎない、バランスのとれた撮影画像となる。
【０１８４】
なお、利用者の中には、あえて、それぞれ異なる立ち位置（カメラとの距離）で撮影に臨む者がいる可能性がある。そこで、本例の機能の有無を、撮影前に利用者に選択させるようにしてもよい。これにより、利用者が所望する画像をより確実に提供することができる。
【０１８５】
（第４の例）
第４の例においては、利用者それぞれとカメラとの距離が同一となるよう、利用者の立ち位置を案内する案内画面がタッチパネルモニタ１１２に表示されたり、利用者の立ち位置を案内する音声がスピーカ２２３から出力されるようにする。
【０１８６】
本例においては、アップ撮影が行われるので、案内される立ち位置は、アップ撮影に最も適した位置（例えば、カメラ１１１からの距離が900mm）とされる。
【０１８７】
そして、焦点距離調整部３１２は、距離画像において、利用者それぞれの距離値が略同一になったと判定した場合、その距離値に応じてカメラ１１１の焦点距離を調整し、撮影制御部３１３は、焦点距離が調整されたカメラ１１１を制御することで、撮影画像を生成する。
【０１８８】
これにより、利用者それぞれとカメラとの距離が異なる場合であっても、利用者それぞれとカメラとの距離を同一にして撮影が行われるので、利用者それぞれがバランス良く写る撮影画像を提供することができる。
【０１８９】
＜複数台のカメラを用いる場合＞
上述した例においては、カメラ１１１の焦点距離は、アップ撮影が行われる場合で24mm乃至26mmの間で調整され、全身撮影が行われる場合で10mm乃至12mmの間で調整されるものとした。すなわち、カメラ１１１のレンズの焦点距離は、10mm乃至26mmの間で調整される。
【０１９０】
しかしながら、例えば、アップ撮影において、利用者とカメラ１１１との距離が1000mmを超える場合、上述した例と同様の撮影画像（アップ画像）を得るためには、カメラ１１１の焦点距離を26mmより大きい値に調整する必要がある。同様に、全身撮影においても、利用者とカメラ１１１との距離が1200mmを超える場合、上述した例と同様の撮影画像（全身画像）を得るためには、カメラ１１１の焦点距離を12mmより大きい値に調整する必要がある。
【０１９１】
そこで、写真シール作成装置１において、カメラ１１１に加え、カメラ１１１のレンズより長い焦点距離（例えば18mm乃至55mm）のレンズを備える望遠カメラを設けるようにする。この望遠カメラは、カメラ１１１の近傍に設けられるようにする。
【０１９２】
例えば、アップ撮影において、利用者とカメラ１１１との距離が1000mmを超えない場合、距離画像に基づいてカメラ１１１の焦点距離が調整され、カメラ１１１による撮影が行われるようにする。一方、利用者とカメラ１１１との距離が1000mmを超える場合には、距離画像に基づいて望遠カメラの焦点距離が調整され、望遠カメラによる撮影が行われるようにする。
【０１９３】
また、全身撮影において、利用者とカメラ１１１との距離が1200mmを超えない場合、距離画像に基づいてカメラ１１１の焦点距離が調整され、カメラ１１１による撮影が行われるようにする。一方、利用者とカメラ１１１との距離が1200mmを超える場合には、距離画像に基づいて望遠カメラの焦点距離が調整され、望遠カメラによる撮影が行われるようにする。
【０１９４】
以上のような構成により、より広い範囲の利用者の立ち位置に対応して、高画質な画像を提供することが可能となる。
【０１９５】
＜距離画像センサについて＞
上述した例では、距離画像センサ１１３は、カメラ１１１の鉛直方向真下に設けられ、その撮影範囲は、カメラ１１１と略同一かそれ以上であるものとした。なお、距離画像センサ１１３の撮影範囲がカメラ１１１の撮影範囲と略同一かそれ以上となる箇所であれば、距離画像センサ１１３を、カメラ１１１の鉛直方向真下以外の箇所に配置することは可能である。
【０１９６】
しかしながら、距離画像センサ１１３の撮影範囲が、カメラ１１１の撮影範囲より狭い場合、被写体とカメラ１１１との距離を正確に表す距離画像が生成されないおそれがある。
【０１９７】
このような場合、図２３に示されるように、２つの距離画像センサ１１３−１，１１３−２が設けられるようにする。撮影・表示ユニット１０１において、距離画像センサ１１３−１，１１３−２は、タッチパネルモニタ１１２の上方で、カメラ１１１のレンズ中心を通る鉛直線を軸として左右対称となる位置に設けられる。
【０１９８】
このような構成により、距離画像センサ１１３−１，１１３−２の撮影範囲を、カメラ１１１の撮影範囲より広くすることができ、被写体とカメラ１１１との距離を正確に表す距離画像を生成することができる。
【０１９９】
距離画像センサ１１３の撮影範囲が、カメラ１１１の撮影範囲より狭い場合、被写体からみてカメラ１１１より奥（後方）に、距離画像センサ１１３が設けられるようにしてもよい。
【０２００】
しかしながら、この場合、距離画像センサ１１３の撮影範囲内にカメラ１１１が入り込まないようにする必要がある。
【０２０１】
そこで、図２４に示されるように、例えば全身撮影において最適な立ち位置に立つ利用者Ｕの距離画像を生成可能な距離画像センサの配置を示す破線の円Ｃ１のうち、撮影ユニット２１においてカメラ１１１のレンズより後方となる位置に、距離画像センサ１１３が配置されるようにする。この場合、距離画像センサ１１３は、カメラ１１１とは離れた位置に設けられるようになるが、座標変換を行うことにより、それぞれの配置に違いによる距離画像と撮影画像との差を無くすことができる。
【０２０２】
以上においては、撮影範囲の狭い距離画像センサを複数設ける構成について説明したが、距離検出範囲の狭い距離画像センサを複数設けるようにしてもよい。
【０２０３】
例えば、距離検出範囲が1000mm以下の第１の距離画像センサと、距離検出範囲が1000mm以上の第２の距離画像センサとが設けられるようにする。
【０２０４】
上述したように、アップ撮影における利用者の立ち位置は、カメラ１１１から800mm乃至1000mm離れた範囲が最適とされ、全身撮影における利用者の立ち位置は、カメラ１１１から1000mm乃至1200mm離れた範囲が最適とされる。
【０２０５】
そこで、アップ撮影が行われる場合には、第１の距離画像センサにより距離画像が生成されるようにし、全身撮影が行われる場合には、第２の距離画像センサにより距離画像が生成されるようにする。これにより、距離検出精度の向上とともに、距離検出時間の短縮を図ることができる。
【０２０６】
また、上述した第１の距離画像センサおよび第２の距離画像センサに代えて、距離検出範囲を切り替え可能な１つの距離画像センサを設けるようにしてもよい。
【０２０７】
例えば、距離検出範囲が1000mm以下の第１のモードと、距離検出範囲が1000mm以上の第２のモードの、２つの距離検出モードを有する距離画像センサを設けるようにする。
【０２０８】
そして、アップ撮影が行われる場合には、第１のモードで距離画像が生成されるようにし、全身撮影が行われる場合には、第２のモードで距離画像が生成されるようにする。このような構成においても、距離検出精度の向上とともに、距離検出時間の短縮を図ることができる。
【０２０９】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０２１０】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２１１】
この記録媒体は、例えば、図１１に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０２１２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１３】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２１４】
また、本技術の実施の形態は、上述した実施の形態に限定されるものではなく、本技術の要旨を逸脱しない範囲において種々の変更が可能である。
【符号の説明】
【０２１５】
１  写真シール作成装置
１０１  撮影・表示ユニット
１１１  カメラ
１１２  タッチパネルモニタ
１１３  距離画像センサ
２０１  制御部
３０１  撮影処理部
３１１  表示制御部
３１２  焦点距離調整部
３１３  撮影制御部
【図１】
0006664062.tif 000002
【図２】
0006664062.tif 000003
【図３】
0006664062.tif 000004
【図４】
0006664062.tif 000005
【図５】
0006664062.tif 000006
【図６】
0006664062.tif 000007
【図７】
0006664062.tif 000008
【図８】
0006664062.tif 000009
【図９】
0006664062.tif 000010
【図１０】
0006664062.tif 000011
【図１１】
0006664062.tif 000012
【図１２】
0006664062.tif 000013
【図１３】
0006664062.tif 000014
【図１４】
0006664062.tif 000015
【図１５】
0006664062.tif 000016
【図１６】
0006664062.tif 000017
【図１７】
0006664062.tif 000018
【図１８】
0006664062.tif 000019
【図１９】
0006664062.tif 000020
【図２０】
0006664062.tif 000021
【図２１】
0006664062.tif 000022
【図２２】
0006664062.tif 000023
【図２３】
0006664062.tif 000024
【図２４】
0006664062.tif 000025